(57)【要約】【課題】  被梱包物に繋がった電源コードを固定部材などを使用せず確実に固定できる梱包装置を提供するものである。【解決手段】  略長方形の台紙の周辺部を折り曲げ側面とし、折り曲げた周辺部を更に延長し相対する延長部を交互に折り曲げることで封函用の内フラップ、外フラップとした外箱１において、外箱角部の外箱側面を内側に折り込み折込部７を形成する。そして、外箱上に搭載した被梱包物２に設けられた電源コード８先端の電源プラグ９を折込部７に挿入させることによって、前記課題である固定部材などを必要とせず電源プラグ９の固定が可能な梱包装置である。【選択図】  図１
2005082170.tif 000002
【特許請求の範囲】
【請求項１】
略長方形の台紙の周辺部を折り曲げ側面とし、折り曲げた周辺部を更に延長し相対する延長部を交互に折り曲げることで封函用の内フラップ、外フラップとした外箱において、外箱角部に位置する外箱側面の上下の折り曲げ線を端から連続して切断し、外箱側面を内側に折り込み折込部を形成し、前記外箱上に搭載した被梱包物に設けられた電源コード先端の電源プラグを折込部に挿入させる梱包装置。
【請求項２】
外箱角部に設けた折込部の天面を覆う内フラップ、及び外フラップに被梱包物に設けられた電源コードを挿入する凹部を設け、内フラップ、外フラップの凹部が外箱封函時に重なり合い外箱側面に向けて凹部の開口側が位置するように形成されたことを特長とする請求項１記載の梱包装置。
【請求項３】
外箱角部の内フラップ、外フラップに設けられた凹部の開口側両端に、挿入された電源コードの戻り止めの凸部を設け、この凸部を外フラップ側の凹部と内フラップ側の凹部で完全に重なり合わない位置にしたことを特長とする請求項１記載の梱包装置。
【請求項４】
外箱に設けられた外フラップの外箱角部に設けられた折込部と隣接しない位置に電源コードを挿入する切断線を設けた請求項１記載の梱包装置。
【発明の詳細な説明】
【技術分野】
【０００１】
本発明は、空気調和機室内機などの被梱包物の梱包に使用する付属部品などを収納する梱包装置に関するものである。
【背景技術】
【０００２】
従来の梱包装置は、図４に示すように被梱包物ａに繋がった電源コードｂを被梱包物の背面にテープｃで固定し外箱などへ挿入するものであった。（例えば特許文献１参照）。
【特許文献１】特開平０８−１１９３６８号公報
【発明の開示】
【発明が解決しようとする課題】
【０００３】
しかしながら、上記従来の構成では被梱包物を梱包する前に、被梱包物背面に被梱包物に設けられた電源コードをテープで固定する必要があった。特に、電源コード先端の電源プラグ部分は輸送時の外力などによる変形などが無いように、十分な空間の確保と固定を行う必要があり電源プラグ収納空間を確保したり固定部材が必要となるため固定作業に工数が掛かるなどの課題を有していた。
【０００４】
また、電源プラグは電源コードにより被梱包物と一体となっているため電源プラグを固定するとき、電源コードの反発で電源プラグ自体が外れたりすることが無いように確実に電源プラグを固定する必要があった。
【０００５】
また、被梱包物と一体になっているため電源プラグを被梱包物と繋いでいる電源コードも被梱包物に固定する必要があり固定部材などが必要になる。
【０００６】
本発明は、このような従来の課題を解決するものであり、直方体に形成された外箱の側面角部に折込部を設けることにより被梱包物の電源プラグを収納することが可能となり、固定部材などを使用する必要が無くなり電源プラグ固定の作業性が向上する梱包装置を提供することを目的とする。
【課題を解決するための手段】
【０００７】
上記課題を解決するために本発明は、略長方形の台紙の周辺部を折り曲げ側面とし、折り曲げた周辺部を更に延長し相対する延長部を交互に折り曲げることで封函用の内フラップ、外フラップとした外箱において、外箱角部に位置する外箱側面の上下の折り曲げ線を角から連続して切断して外箱側面を内側に折り込めるように折込部を形成し、前記外箱上に搭載した被梱包物に設けられた電源コード先端の電源プラグを折込部に挿入させる梱包装置である。
【０００８】
上記のように外箱の側面角部に折込部を設けることにより電源プラグの固定が可能となり梱包時の電源プラグ固定の作業が向上し固定部材も不要となる梱包装置である。
【発明の効果】
【０００９】
上記から明らかなように、同梱品を収納する外箱の角部に折込部を設け、この折込部に被梱包物に設けられた電源プラグを挿入するもので、この構成によれば、電源プラグの固定が固定部材などを使用せずに容易に行えると共に、外力からの保護機能が向上するという効果を得られる。
【００１０】
また、本発明は外箱に設けた折込部の天面を覆う内フラップ、外フラップに凹部を設け、折込部に挿入された電源プラグの電源コードを凹部に差込み固定するもので、この構成によれば、折込部に挿入された電源プラグが確実に固定され容易に外れることが無くなる。
【００１１】
また、内フラップ、外フラップに設けられた凹部の開口側両端に凸部を設け、この凸部が内フラップ、外フラップの凹部が重なった時に凸部は完全に重ならない位置にするもので、この構成によれば、電源コードを凹部に差し込むときの反発が少なく作業性が向上すると共に、抜け防止にもなる。
【００１２】
また、外箱の折込部に隣接しない外フラップ上に切断線を設け、電源コードを差し込み固定するもので、この構成によれば電源コードの固定が固定部材などを必要とせずに容易に行うことが可能となる。
【発明を実施するための最良の形態】
【００１３】
以下本発明の実施の形態について図面を参照して説明する。
【００１４】
（実施の形態１）
図１において、１は被梱包物２の据付けなどに使用される同梱部品を収納した外箱であり、長方形の台紙の周辺部を折り曲げて側面とし、さらに側面を延長して封函用の内フラップ、外フラップとすることで直方体を形成した外箱である。この外箱１は、図２に詳細に示すように側面を形成するための側面上下の折り線３・４を片側の端から連続するように切断部５・６を設ける。この切断部５・６により図１に示すように、外箱１の側面角部に折込部７が形成される。この外箱２に設けられた折込部７に、被梱包物２に設けられた電源コード８の先端に設けられた電源プラグ９を収納する。
【００１５】
上記記載の如く、外箱１の角部に設けられた折込部７に電源プラグ９を挿入することにより電源プラグ９を容易に固定することが可能となり固定に必要とされる部材なども不要となる。
【００１６】
（実施の形態２）
さらに、図１、図２に示すように外箱１に設けられた折込部７の天面側を形成する内フラップ１０と外フラップ１１には、外箱１の折込部７に電源プラグ９が挿入されたときに電源コード８が挿入され固定される凹部１２・１３が夫々設けられている。この凹部１２・１３は内フラップ１０の上に外フラップ１１が重なったときに凹部１２・１３同士が重なり合う位置に形成されている。また、凹部の開口側が外箱１に設けた折込部７側に向くように形成されている。
【００１７】
そして、この実施の形態によれば、折込部７へ電源プラグ９が挿入された段階で電源コード８も凹部１２・１３に挿入され、電源プラグ９が容易に外れることも無く確実な固定が可能となり、電源プラグ固定の作業性も向上する。
【００１８】
（実施の形態３）
さらに、図２に示す内フラップ１０と外フラップ１１に設けられた凹部１２・１３には開口側の両端に凸部１４・１５が設けられている。そして、図３に示すように内フラップ１０と外フラップ１１の凹部１２・１３が重なり合った状態で凹部１２・１３に設けられた凸部１４・１５の一方が凹部開口側に位置し、もう一方が凹部開口側より内側に位置することにより凸部１４・１５が完全に重なり合わないような位置に形成されている。
【００１９】
そして、この実施の形態によれば、凹部１２・１３に電源コード８が挿入されるとき凹
部１２・１３に設けた凸部１４・１５の位置が重なり合っていないことにより電源コード８の挿入時の反発力が低下し挿入が容易に行うことが可能となり、梱包作業時の作業性が向上する。
【００２０】
（実施の形態４）
さらに、図１に示すように外箱１の折込部７の設けられた側面に接する外フラップ１１上の折込部７と接しない位置に横長の切断線１６を設けておき、切断線１６に被梱包物２に設けられた電源コード８の被梱包物２から電源プラグ９の間の部分を切断線より外箱内に挿入し電源コード８を固定する。
【００２１】
そして、この実施の形態によれば、電源コード８が固定部材などを必要とせず、容易に固定することが可能となる。
【産業上の利用可能性】
【００２２】
本願発明の梱包装置は、収容する電気機器に設けられた電源コードを効率よく収納することができ、空気調和機だけでなく、電源コードを束ねて収納する電気機器の梱包装置として有効である。
【図面の簡単な説明】
【００２３】
【図１】本発明の第１、第４の実施形態を示す梱包装置の分解斜視図
【図２】本発明の第１、第２の実施形態を示す外箱の要部展開図
【図３】本発明の第３の実施形態を示す要部断面図
【図４】従来の梱包装置の被梱包物背面図
【符号の説明】
【００２４】
１  外箱
２  被梱包物
３、４  折り線
５、６  切断部
７  折り込み部
８  電源コード
９  電源プラグ
１０  内フラップ
１１  外フラップ
１２、１３  凹部
１４、１５  凸部
１６  切断線
【図１】
2005082170.tif 000003
【図２】
2005082170.tif 000004
【図３】
2005082170.tif 000005
【図４】
2005082170.tif 000006